(57)【要約】【課題】表示板を展示室内に取付けるための専用の部材を設けることなく、表示板を展示室内における自動販売機本体の幅方向任意の位置に容易に取付けることのできる自動販売機を提供する。【解決手段】各係止部材６１が支持部材１５の幅方向任意の位置に上方から係止することにより、表示板６０が自動販売機本体１の幅方向任意の位置に吊り下げられるので、表示板６０を展示室１０内に取付けるための専用の部材を外扉２側に設ける必要がなく、表示板６０を展示室１０内における自動販売機本体１の幅方向任意の位置に容易に吊り下げることができ、表示板６０の交換や移動を行う場合の作業性を向上する上で極めて有利である。【選択図】図４
2007219664.tif 000002
【特許請求の範囲】
【請求項１】
自動販売機本体の前面を開閉する外扉と、外扉の前面側に商品サンプルを展示する展示室と、展示室の前面に設けられた透明板と、透明板の前面側に自動販売機本体の幅方向に並ぶように設けられた複数の商品選択ボタンと、各商品選択ボタンに沿って自動販売機本体の幅方向に延びるように設けられ、各商品選択ボタンを透明板の背面側から支持する支持部材と、展示室内に設けられ、展示室の前面側に向かって所定の情報を表示する表示板とを備えた自動販売機において、
前記表示板を、その上端側が支持部材の幅方向任意の位置に上方から係止して展示室内に取付けられるように構成した
ことを特徴とする自動販売機。
【請求項２】
前記表示板の上端側を、支持部材に上方から係止するとともに、支持部材に自動販売機本体の前面側から係止するように形成した
ことを特徴とする請求項１記載の自動販売機。
【請求項３】
前記表示板の上端側に支持部材に係止する係止部材を着脱自在に設けた
ことを特徴とする請求項１または２記載の自動販売機。
【請求項４】
前記表示板の上端側に支持部材に係止する係止部を一体に設けた
ことを特徴とする請求項１または２記載の自動販売機。
【発明の詳細な説明】
【技術分野】
【０００１】
本発明は、商品サンプルを展示する展示室の透明板に商品選択ボタンが設けられた自動販売機に関するものである。
【背景技術】
【０００２】
従来、この種の自動販売機としては、前面を開口した自動販売機本体と、自動販売機本体の前面の開口部を開閉する外扉と、外扉の前面側に設けられ、商品サンプルを展示する展示室と、展示室内の商品サンプルの背面側に設けられ、商品の広告等を表示する表示板とを備えたものが知られている（例えば、特許文献１参照。）。
【０００３】
ところで、前記自動販売機では、表示板が商品サンプルの背面側に設けられているので、商品サンプルが大きい場合は表示板の視認性が低下するという問題点があった。
【０００４】
また、他の自動販売機としては、前記自動販売機と同様の自動販売機本体、外扉及び展示室と、展示室内の商品サンプルの上方に設けられ、展示室の前面側に向かって広告等の所定の表示を行う表示板と、展示室内の上面に粘着テープによって取付けられ、表示板を展示室内に吊り下げるフックとを備えたものが知られている（例えば、特許文献２参照。）。
【特許文献１】実開平７−４１６８０号公報
【特許文献２】実用新案第３０１１６５５号公報
【発明の開示】
【発明が解決しようとする課題】
【０００５】
しかしながら、後者の自動販売機では、展示室内に表示板を吊り下げるために専用のフックを設けているので、フックを設ける分だけ製造コストが高くつくという問題点があった。
【０００６】
また、フックは展示室内における自動販売機本体の幅方向所定位置に粘着テープによって取付けられ、表示板はフックが取付けられた位置に吊り下げられるので、表示板の位置を自動販売機本体の幅方向に移動するためには、フックを他の幅方向所定位置に取付け直す必要があり、表示板の位置を自動販売機本体の幅方向に容易に移動することができないという問題点があった。
【０００７】
本発明は前記問題点に鑑みてなされたものであり、その目的とするところは、表示板を展示室内に取付けるための専用の部材を外扉側に設ける必要がなく、表示板を展示室内における自動販売機本体の幅方向任意の位置に容易に取付けることのできる自動販売機を提供することにある。
【課題を解決するための手段】
【０００８】
本発明は前記目的を達成するために、自動販売機本体の前面を開閉する外扉と、外扉の前面側に商品サンプルを展示する展示室と、展示室の前面に設けられた透明板と、透明板の前面側に自動販売機本体の幅方向に並ぶように設けられた複数の商品選択ボタンと、各商品選択ボタンに沿って自動販売機本体の幅方向に延びるように設けられ、各商品選択ボタンを透明板の背面側から支持する支持部材と、展示室内に設けられ、展示室の前面側に向かって所定の情報を表示する表示板とを備えた自動販売機において、前記表示板を、その上端側が支持部材の幅方向任意の位置に上方から係止して展示室内に取付けられるように構成している。
【０００９】
これにより、展示室内には各商品選択ボタンを支持するための支持部材が自動販売機本体の幅方向に延びるように設けられ、表示板はその上端側が支持部材の幅方向任意の位置に上方から係止して展示室内に取付けられることから、表示板の上端側を支持部材の幅方向任意の位置に上方から係止させることにより、表示板が自動販売機本体の幅方向任意の位置に取付けられる。
【発明の効果】
【００１０】
本発明によれば、表示板の上端側を支持部材の幅方向任意の位置に上方から係止させることにより、表示板を自動販売機本体の幅方向任意の位置に取付けることができるので、表示板を展示室内に取付けるための専用の部材を外扉側に設ける必要がなく、表示板を展示室内における自動販売機本体の幅方向任意の位置に容易に取付けることができ、表示板の交換や移動を行う場合の作業性を向上する上で極めて有利である。
【発明を実施するための最良の形態】
【００１１】
図１乃至図７は本発明の一実施形態を示すもので、図１は自動販売機の斜視図、図２は外扉を開いた状態の自動販売機の斜視図、図３は自動販売機の正面図、図４は外扉の要部斜視図、図５は外扉の要部背面図、図６は外扉の要部側面断面図、図７は大きな表示板を取付けた状態を示す外扉の要部斜視図である。
【００１２】
この自動販売機は、前面を開口した自動販売機本体１と、自動販売機本体１の前面の開口部を開閉する外扉２とを備えている。自動販売機本体１内には図示しない商品収納庫、商品コラム、冷却装置、加熱装置等が設けられている。
【００１３】
外扉２には、複数の商品サンプルＡを展示する展示室１０と、周知の硬貨投入口２０、紙幣投入口３０、硬貨返却口４０及び商品取出口５０とが設けられている。また、外扉２は、外扉２の前面を形成している平板状の前面部２ａと、前面部２ａの上端から背面側に延びる上端部２ｂと、前面部２ａの幅方向両端から背面側に延びる一対の側面部２ｃと、前面板２ｂの下端から背面側に延びる下端部２ｄと、外扉２の背面側を覆う平板状の背面部２ｅとを有する。各商品サンプルＡは前面部２ａ、上端部２ｂ、各側面部２ｃ及び背面部２ｅによって囲まれた空間に配置されている。
【００１４】
展示室１０は外扉２の上端側に設けられ、商品サンプルＡを載置するための第１載置台１１及び第２載置台１２と、展示室１０の前面を覆う透明板１３と、透明板１３の前面に設けられた複数の商品選択ボタン１４とを有する。また、展示室１０は主な利用者である成人の目の高さに応じた位置に設けられ、展示室１０内には広告等の所定の情報を表示する表示板６０が設けられている。
【００１５】
各載置台１１，１２は外扉２の幅方向に延びるように設けられ、第１載置台１１は第２載置台１２の上方に設けられている。各載置台１１，１２は背面部２ｅの前面に固定されている。各商品サンプルＡは各載置台１１，１２に外扉２の幅方向に並ぶように載置されている。
【００１６】
透明板１３はアクリル等の透明な樹脂材料から成り、外扉２の前面部２ａの開口部２ｆを閉鎖するように設けられている。
【００１７】
各商品選択ボタン１４は自動販売機本体１の幅方向に２列に並ぶように設けられ、一方の列の各商品選択ボタン１４は第１載置台１１と等しい高さ位置に設けられ、他方の列の各商品選択ボタン１４は第２載置台１２と等しい高さ位置に設けられている。また、各商品選択ボタン１４は第１取付部材１４ａまたは第２取付部材１４ｂに保持されている。第１取付部材１４ａは第２取付部材１４ｂよりも上方に設けられ、透明板１３の前面側に配置されている。各取付部材１４ａ，１４ｂの背面側にはそれぞれ支持部材１５が設けられ、各支持部材１５は透明板１３の背面側に配置されている。第１取付部材１４ａは複数のボルト１４ｃによって支持部材１５に固定され、第２取付部材１４ｂは図示しない複数のボルトによって支持部材１５に固定されている。即ち、各商品選択ボタン１４は各支持部材１５によって透明板１３の背面側から支持されている。
【００１８】
支持部材１５は各取付部材１４ａ，１４ｂに沿って自動販売機本体１の幅方向に延びるように設けられている。また、支持部材１５は、透明板１３に沿うように設けられた平板状の前面部１５ａと、前面部１５ａの下端から背面側に延びる平板状の下端部１５ｂと、下端部１５ｂにおける自動販売機本体１の背面側から上方に延びる延設部１５ｃとを有する。また、前面部１５ａには各商品選択ボタン１４に対応する位置にそれぞれ孔１５ｄが設けられている。図示しない配線が各支持部材１５の下端部１５ｂ上に載置され、配線は各孔１５ｄを挿通して各商品選択ボタン１４に接続されている。
【００１９】
表示板６０はアクリル板等の樹脂板から成り、前面に広告等の所定の情報が表示されている。また、表示板６０の上端側には一対の孔６０ａが設けられ、各孔６０ａには一対の係止部材６１が下方から係止している。
【００２０】
係止部材６１は、上下方向に延びる平板状の本体部６１ａと、本体部６１ａの下端部から自動販売機本体１の前面側に延びる下端部６１ｂと、下端部６１ｂにおける自動販売機本体１の前面側から上方に延びる下側延設部６１ｃと、本体部６１ａの上端から自動販売機本体１の前面側に延びる上端部６１ｄと、上端部６１ｄにおける自動販売機本体１の前面側から下方に延びる上側延設部６１ｅとを有する。係止部材６１は支持部材１５に自動販売機本体１の背面側から取付けられる。係止部材６１が支持部材１５に取付けられると、上端部６１ｄが支持部材１５の延設部１５ｃに上方から係止する。また、係止部材６１が支持部材１５に取付けられると、上側延設部６１ｅが支持部材１５の延設部１５ｃに自動販売機本体１の前面側から係止する。下端部６１ｂは表示板６０の孔６０ａに下方から係止可能であり、下側延設部６１ｃは表示板６０に自動販売機本体１の前面側から係止可能である。即ち、表示板６０は各係止部材６１によって支持部材１５に吊り下げられている。
【００２１】
係止部材６１が支持部材１５に自動販売機本体１の背面側から取付けられると、各係止部材６１は支持部材１５の延設部１５ｃに上方及び自動販売機本体１の前面側から係止し、また、支持部材１５は自動販売機本体１の幅方向に延びるように設けられているので、各係止部材６１は支持部材１５の幅方向任意の位置に着脱自在に取付けられる。
【００２２】
以上のように構成された自動販売機においては、主な利用者層である成人が自動販売機本体１の前面側に立つと、展示室１０内の各商品サンプルＡが利用者の目と同等以下の高さに位置するとともに、展示室１０内の表示板６０が利用者の目と同等の高さに位置する。また、商品サンプルＡの種類に応じて表示板６０の交換や移動を行う。
【００２３】
ここで、展示室１０内には各商品選択ボタン１４を支持するために各支持部材１５が設けられ、各支持部材１５は自動販売機本体１の幅方向に延びるように設けられている。また、表示板６０はその上端側に設けられた各係止部材６１が支持部材１５の幅方向任意の位置に上方から係止することにより展示室１０内に取付けられる。即ち、各係止部材６１が支持部材１５の幅方向任意の位置に上方から係止することにより、表示板６０が自動販売機本体１の幅方向任意の位置に吊り下げられる。
【００２４】
このように、本実施形態によれば、各係止部材６１が支持部材１５の幅方向任意の位置に上方から係止することにより、表示板６０が自動販売機本体１の幅方向任意の位置に吊り下げられるので、表示板６０を展示室１０内に取付けるための専用の部材を外扉２側に設ける必要がなく、表示板６０を展示室１０内における自動販売機本体１の幅方向任意の位置に容易に吊り下げることができ、表示板６０の交換や移動を行う場合の作業性を向上する上で極めて有利である。
【００２５】
また、係止部材６１が支持部材１５に自動販売機本体１の背面側から取付けられ、各係止部材６１が支持部材１５に上方から係止すると、支持部材６１の上側延設部６１ｅは支持部材１５の延設部１５ｃに自動販売機本体１の前面側から係止するので、表示板６０を展示室１０内に確実に取付けることができる。
【００２６】
また、表示板６０の上端側には複数の係止部材６１が着脱自在に設けられ、各係止部材６１は支持部材１５に上方及び自動販売機本体１の前面側から係止可能に形成されるとともに、表示板６０の上端側に設けられた各孔６０ａに下方から係止可能に形成されている。このため、新たな表示板６０を製造する場合に、その表示板６０の上端側に一対の孔６０ａを設けるだけで、表示板６０を支持部材１５に吊り下げることができる。また、各係止部材６１を新たに製造する必要がなく、製造コストの低減を図る上で極めて有利である。
【００２７】
また、表示板６０の上端側に複数の係止部材６１が着脱自在に設けられているので、表示板６０の大きさに応じて各孔６０ａの位置が離れている場合でも、各係止部材６１によって表示板６０を支持部材１５に吊り下げることができる（図７参照）。
【００２８】
尚、本実施形態では、表示板６０に各係止部材６１を着脱自在に設けたものを示したが、図８に示すように、表示板７０の上端側に一対の係止部７０ａを一体に設けることも可能である。この場合、表示板７０は支持部材１５に自動販売機本体１の背面側から取付けられる。また、表示板７０が支持部材１５に取付けられると、各係止部７０ａが支持部材１５の延設部１５ｃに上方及び自動販売機本体１の前面側から係止する。
【図面の簡単な説明】
【００２９】
【図１】本発明の一実施形態を示す自動販売機の斜視図
【図２】外扉を開いた状態の自動販売機の斜視図
【図３】自動販売機の正面図
【図４】外扉の要部斜視図
【図５】外扉の要部背面図
【図６】外扉の要部側面断面図
【図７】大きな表示板を取付けた状態を示す外扉の要部斜視図
【図８】本実施形態の変形例を示す外扉の要部背面図
【符号の説明】
【００３０】
１…自動販売機本体、２…外扉、２ａ…前面部、２ｂ…上端部、２ｃ…側面部、２ｄ…下端部、２ｅ…背面部、２ｆ…開口部、１０…展示室、１１…第１載置台、１２…第２載置台、１３…透明板、１４…商品選択ボタン、１４ａ…第１取付部材、１４ｂ…第２取付部材、１４ｃ…ボルト、１５…支持部材、１５ａ…前面部、１５ｂ…下端部、１５ｃ…延設部、２０…硬貨投入口、３０…紙幣投入口、４０…硬貨返却口、５０…商品取出口、６０…表示部、６０ａ…孔、６１…係止部材、６１ａ…本体部、６１ｂ…下端部、６１ｃ…下側延設部、６１ｄ…上端部、６１ｅ…上側延設部、７０…表示部、７０ａ…係止部、Ａ…商品サンプル。
【図１】
2007219664.tif 000003
【図２】
2007219664.tif 000004
【図３】
2007219664.tif 000005
【図４】
2007219664.tif 000006
【図５】
2007219664.tif 000007
【図６】
2007219664.tif 000008
【図７】
2007219664.tif 000009
【図８】
2007219664.tif 000010